(57)【要約】【課題】表示装置への転送データ量を抑制する電子機器または表示システムを提供する。【解決手段】プロセッサと、表示制御装置と、表示装置と、を有する電子機器であって、プロセッサは、表示装置に表示させる表示データを、イメージデータと、テキストデータとに分離する機能を有する。また、表示制御装置は、イメージデータを第１の表示データに変換する機能と、テキストデータを第２の表示データに変換する機能と、を有し、表示データは、第１の表示データ及び第２の表示データを元に生成される。【選択図】図１
2018036357.tif 000002
【特許請求の範囲】
【請求項１】
プロセッサと、表示制御装置用インタフェースと、表示制御装置と、表示駆動装置と、表示装置と、を有する電子機器であって、
前記プロセッサは、
前記表示装置に表示させる表示データを、イメージデータと、テキストデータとに分離する機能と、
前記イメージデータ及び前記テキストデータを、前記表示制御装置用インタフェースへ転送する機能と、を有し、
前記表示制御装置用インタフェースは、
前記イメージデータ及び前記テキストデータを、前記表示制御装置へ転送する機能を有し、
前記表示制御装置は、
前記イメージデータを第１の表示データに変換する機能と、前記テキストデータを第２の表示データに変換する機能と、を有し、
前記表示データは、前記第１の表示データ及び前記第２の表示データを元に前記表示装置に表示される、
ことを特徴とする電子機器。
【請求項２】
プロセッサと、表示制御装置用インタフェースと、表示制御装置と、表示駆動装置と、表示装置と、を有する電子機器であって、
前記プロセッサは、
前記表示装置に表示させる表示データを、イメージデータと、テキストデータとに分離する機能と、
前記イメージデータ及び前記テキストデータを、前記表示制御装置用インタフェースへ転送する機能と、を有し、
前記表示制御装置用インタフェースは、
前記イメージデータ及び前記テキストデータを、前記表示制御装置へ転送する機能を有し、
前記表示制御装置は、
前記イメージデータを第１の表示データに変換する機能と、前記テキストデータを第２の表示データに変換する機能と、を有し、
前記表示装置は、
第１の表示領域と、第２の表示領域と、を有し、
前記第１の表示データは、前記第１の表示領域に表示され、前記第２の表示データは、前記第２の表示領域に表示される、
ことを特徴とする電子機器。
【請求項３】
プロセッサと、表示制御装置用インタフェースと、表示制御装置と、表示駆動装置と、表示装置と、を有する表示システムであって、
前記表示装置は、表示データを表示できる機能を有し、
前記表示データは、
前記プロセッサによって、第１のデータファイルに定義され、
前記第１のデータファイルを元に、イメージデータ及びテキストデータが、それぞれ抽出され、
前記表示データが前記テキストデータを含む場合、前記プロセッサによって、前記テキストデータが第２のデータファイルに定義され、
前記テキストデータは、前記第２のデータファイルを元に書式が添付され、書式が添付された形式のテキストデータに変換され、
前記プロセッサは、
前記イメージデータを圧縮して前記表示制御用インタフェースへ転送する機能と、
前記書式が添付された形式のテキストデータを前記表示制御用インタフェースへ転送する機能と、を有し、
前記表示制御装置用インタフェースは、
前記イメージデータ及び前記テキストデータを、前記表示制御装置へ転送する機能を有し、
前記表示制御装置は、
前記イメージデータを第１の表示データに変換する機能と、前記テキストデータを第２の表示データに変換する機能と、を有し、
前記表示データは、前記第１の表示データ及び前記第２の表示データを元に前記表示装置に表示される、
ことを特徴とする表示システム。
【請求項４】
プロセッサと、表示制御装置用インタフェースと、表示制御装置と、表示駆動装置と、表示装置と、を有する表示システムであって、
前記表示装置は、表示データを表示できる機能を有し、
前記表示データは、
前記プロセッサによって、第１のデータファイルに定義され、
前記第１のデータファイルを元に、イメージデータ及びテキストデータが、それぞれ抽出され、
前記表示データが前記テキストデータを含む場合、前記プロセッサによって、前記テキストデータが第２のデータファイルに定義され、
前記テキストデータは、前記第２のデータファイルを元に書式が添付され、書式が添付された形式のテキストデータに変換され、
前記プロセッサは、
前記イメージデータを圧縮して前記表示制御用インタフェースへ転送する機能と、
前記書式が添付された形式のテキストデータを転送する機能と、を有し、
前記表示制御装置用インタフェースは、
前記イメージデータ及び前記テキストデータを、前記表示制御装置へ転送する機能を有し、
前記表示制御装置は、
前記イメージデータを第１の表示データに変換する機能と、前記テキストデータを第２の表示データに変換する機能と、を有し、
前記表示装置は、
第１の表示領域と、第２の表示領域と、を有し、
前記第１の表示データは、前記第１の表示領域に表示され、前記第２の表示データは、前記第２の表示領域に表示される、
ことを特徴とする表示システム。
【発明の詳細な説明】
【技術分野】
【０００１】
本発明の一態様は、表示装置を有する電子機器、及び表示システムに関する。
【０００２】
なお、本発明の一態様は、上記の技術分野に限定されない。本明細書等で開示する発明の一態様の技術分野は、物、方法、または、製造方法に関する。または、本発明の一態様は、プロセス、マシン、マニュファクチャ、または、組成物（コンポジション・オブ・マター）に関する。
【背景技術】
【０００３】
電子ブック、タブレット、スマートフォン等のモバイル機器に代表される電子機器が普及している。モバイル機器は、屋外環境や室内環境など利用する環境の明るさに適した表示をすることが求められている。
【０００４】
自然光など、十分な明るさの外光がある環境では反射光を利用した表示を行い、十分な明るさを得られない環境では発光素子を利用した表示を行う表示装置が提案されている。例えば、特許文献１では、１つの画素に、液晶素子を制御する画素回路と、発光素子を制御する画素回路とが設けられている、ハイブリッド（複合型）表示装置が開示されている。
【先行技術文献】
【特許文献】
【０００５】
【特許文献１】国際公開第２００７／０４１１５０号公報
【発明の概要】
【発明が解決しようとする課題】
【０００６】
モバイル機器などに代表される電子機器は、表示装置の高精細化が進んでいる。一方で、表示装置の高精細化が進むと、表示装置へ転送するデータ量（転送データ量）が増加し、表示装置へのデータ転送速度が遅くなるといった課題がある。
【０００７】
上記課題に鑑み、本発明の一態様は、表示装置への転送データ量が抑制された電子機器を提供することを課題の１つとする。または、本発明の一態様は、表示装置へのデータ転送速度が向上された電子機器を提供することを課題の１つとする。または、本発明の一態様は、新規な電子機器を提供することを課題の１つとする。または、本発明の一態様は、表示装置への転送データ量を抑制する表示システムを提供することを課題の１つとする。または、本発明の一態様は、表示装置へのデータ転送速度が向上する表示システムを提供することを課題の１つとする。または、本発明の一態様は、新規な表示システムを提供することを課題の１つとする。
【０００８】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００９】
本発明の一態様は、プロセッサと、表示制御装置と、表示装置と、を有する電子機器であって、プロセッサは、表示装置に表示させる表示データを、イメージデータと、テキストデータとに分離する機能を有する。また、表示制御装置は、イメージデータを第１の表示データに変換する機能と、テキストデータを第２の表示データに変換する機能と、を有し、表示データは、第１の表示データ及び第２の表示データを元に生成される。より具体的には以下の通りである。
【００１０】
本発明の一態様は、プロセッサと、表示制御装置用インタフェースと、表示制御装置と、表示駆動装置と、表示装置と、を有する電子機器であって、プロセッサは、表示装置に表示させる表示データを、イメージデータと、テキストデータとに分離する機能と、イメージデータ及びテキストデータを、表示制御装置用インタフェースへ転送する機能と、を有し、表示制御装置用インタフェースは、イメージデータ及びテキストデータを、表示制御装置へ転送する機能を有し、表示制御装置は、イメージデータを第１の表示データに変換する機能と、テキストデータを第２の表示データに変換する機能と、を有し、表示データは、第１の表示データ及び第２の表示データを元に表示装置に表示される電子機器である。
【００１１】
また、本発明の他の一態様は、プロセッサと、表示制御装置用インタフェースと、表示制御装置と、表示駆動装置と、表示装置と、を有する電子機器であって、プロセッサは、表示装置に表示させる表示データを、イメージデータと、テキストデータとに分離する機能と、イメージデータ及びテキストデータを、表示制御装置用インタフェースへ転送する機能と、を有し、表示制御装置用インタフェースは、イメージデータ及びテキストデータを、表示制御装置へ転送する機能を有し、表示制御装置は、イメージデータを第１の表示データに変換する機能と、テキストデータを第２の表示データに変換する機能と、を有し、表示装置は、第１の表示領域と、第２の表示領域と、を有し、第１の表示データは、第１の表示領域に表示され、第２の表示データは、第２の表示領域に表示される電子機器である。
【００１２】
また、本発明の他の一態様は、プロセッサと、表示制御装置用インタフェースと、表示制御装置と、表示駆動装置と、表示装置と、を有する表示システムであって、表示装置は、表示データを表示できる機能を有し、表示データは、プロセッサによって、第１のデータファイルに定義され、第１のデータファイルを元に、イメージデータ及びテキストデータが、それぞれ抽出され、表示データがテキストデータを含む場合、プロセッサによって、テキストデータが第２のデータファイルに定義され、テキストデータは、第２のデータファイルを元に書式が添付され、書式が添付された形式のテキストデータに変換され、プロセッサは、イメージデータを圧縮して表示制御用インタフェースへ転送する機能と、書式が添付された形式のテキストデータを転送する機能と、を有し、表示制御装置用インタフェースは、イメージデータ及びテキストデータを、表示制御装置へ転送する機能を有し、表示制御装置は、イメージデータを第１の表示データに変換する機能と、テキストデータを第２の表示データに変換する機能と、を有し、表示データは、第１の表示データ及び第２の表示データを元に表示装置に表示される表示システムである。
【００１３】
また、本発明の他の一態様は、プロセッサと、表示制御装置用インタフェースと、表示制御装置と、表示駆動装置と、表示装置と、を有する表示システムであって、表示装置は、表示データを表示できる機能を有し、表示データは、プロセッサによって、第１のデータファイルに定義され、第１のデータファイルを元に、イメージデータ及びテキストデータが、それぞれ抽出され、表示データがテキストデータを含む場合、プロセッサによって、テキストデータが第２のデータファイルに定義され、テキストデータは、第２のデータファイルを元に書式が添付され、書式が添付された形式のテキストデータに変換され、プロセッサは、イメージデータを圧縮して表示制御用インタフェースへ転送する機能と、書式が添付された形式のテキストデータを表示制御用インタフェースへ転送する機能と、を有し、表示制御装置用インタフェースは、イメージデータ及びテキストデータを、表示制御装置へ転送する機能を有し、表示制御装置は、イメージデータを第１の表示データに変換する機能と、テキストデータを第２の表示データに変換する機能と、を有し、表示装置は、第１の表示領域と、第２の表示領域と、を有し、第１の表示データは、第１の表示領域に表示され、第２の表示データは、第２の表示領域に表示される表示システムである。
【発明の効果】
【００１４】
本発明の一態様により、表示装置への転送データ量が抑制された電子機器を提供することができる。または、本発明の一態様により、表示装置へのデータ転送速度が向上された電子機器を提供することができる。または、本発明の一態様により、新規な電子機器を提供することができる。または、本発明の一態様により、表示装置への転送データ量を抑制する表示システムを提供することができる。または、本発明の一態様により、表示装置へのデータ転送速度が向上する表示システムを提供することができる。または、本発明の一態様により、新規な表示システムを提供することができる。
【００１５】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００１６】
【図１】電子機器を説明するブロック図。
【図２】電子機器を説明するブロック図。
【図３】電子機器を説明するブロック図。
【図４】表示装置の模式図。
【図５】表示装置に表示される表示データを説明する図。
【図６】テキストデータ領域及びイメージデータ領域の属性を定義する際の模式図。
【図７】テキストデータ領域の属性を定義する際の模式図。
【図８】イメージデータ及びテキストデータの抽出方法を説明するフローチャート。
【図９】転送データ量、及び転送データ量の内訳を説明する図。
【図１０】表示駆動装置の構成を説明するブロック図。
【図１１】表示装置の構成例を説明する、模式図及び状態遷移図。
【図１２】表示装置の構成例を説明する、回路図及びタイミングチャート。
【図１３】表示装置の一例を示す斜視図。
【図１４】表示装置の一例を示す断面図。
【図１５】表示装置の一例を示す断面図。
【図１６】表示装置の一例を示す断面図。
【図１７】電子機器を説明する図。
【発明を実施するための形態】
【００１７】
以下、実施の形態について図面を参照しながら説明する。ただし、実施の形態は多くの異なる態様で実施することが可能であり、趣旨及びその範囲から逸脱することなくその形態及び詳細を様々に変更し得ることは当業者であれば容易に理解される。従って、本発明は、以下の実施の形態の記載内容に限定して解釈されるものではない。
【００１８】
また、本明細書にて用いる「第１」、「第２」、「第３」という序数詞は、構成要素の混同を避けるために付したものであり、数的に限定するものではないことを付記する。
【００１９】
また、本明細書において、「上に」、「下に」などの配置を示す語句は、構成同士の位置関係を、図面を参照して説明するために、便宜上用いている。また、構成同士の位置関係は、各構成を描写する方向に応じて適宜変化するものである。従って、明細書で説明した語句に限定されず、状況に応じて適切に言い換えることができる。
【００２０】
また、本明細書等において、「電気的に接続」には、「何らかの電気的作用を有するもの」を介して接続されている場合が含まれる。ここで、「何らかの電気的作用を有するもの」は、接続対象間での電気信号の授受を可能とするものであれば、特に制限を受けない。例えば、「何らかの電気的作用を有するもの」には、電極や配線をはじめ、トランジスタなどのスイッチング素子、抵抗素子、インダクタ、キャパシタ、その他の各種機能を有する素子などが含まれる。
【００２１】
また、本明細書等では、オフ電流と同じ意味で、リーク電流と記載する場合がある。また、本明細書等において、オフ電流とは、例えば、トランジスタがオフ状態にあるときに、ソースとドレインとの間に流れる電流を指す場合がある。
【００２２】
また、本明細書等において、「半導体」と表記した場合であっても、例えば、導電性が十分に低い場合は、「絶縁体」としての特性を有する場合がある。また、「半導体」と「絶縁体」とは境界が曖昧であり、厳密に区別できない場合がある。したがって、本明細書等に記載の「半導体」は、「絶縁体」に言い換えることが可能な場合がある。同様に、本明細書等に記載の「絶縁体」は、「半導体」に言い換えることが可能な場合がある。または、本明細書等に記載の「絶縁体」を「半絶縁体」に言い換えることが可能な場合がある。
【００２３】
また、本明細書等において、「半導体」と表記した場合であっても、例えば、導電性が十分に高い場合は、「導電体」としての特性を有する場合がある。また、「半導体」と「導電体」とは境界が曖昧であり、厳密に区別できない場合がある。したがって、本明細書等に記載の「半導体」は、「導電体」に言い換えることが可能な場合がある。同様に、本明細書等に記載の「導電体」は、「半導体」に言い換えることが可能な場合がある。
【００２４】
（実施の形態１）
本実施の形態では、本発明の一態様の電子機器及び表示システムについて、図１乃至図１０を用いて説明を行う。
【００２５】
本発明の一態様の表示システムは、表示データのデータ転送速度を向上させることができる。
【００２６】
例えば、表示データのデータ転送速度を改善するために、表示データを圧縮して転送する方法がある。ただし、表示データをＪＰＥＧ（Ｊｏｉｎｔ  Ｐｈｏｔｏｇｒａｐｈｉｃ  Ｅｘｐｅｒｔｓ  Ｇｒｏｕｐ）等に圧縮する場合、空間周波数の分析を行った後に圧縮処理を行うため、文字などのテキストデータに対してはデータの圧縮量が低下する。したがって、表示データが、写真などのイメージデータと、文字などのテキストデータとの双方を有する場合、文字などのテキストデータの影響により圧縮量が低下してしまう。
【００２７】
しかしながら、本発明の一態様の表示システムでは、表示データのデータ転送速度の向上を図るために、表示データを、イメージデータとテキストデータとの２つのデータに分け、当該２つのデータを分離して転送することで表示データのデータ転送速度を向上させることができる。
【００２８】
本発明の一態様の電子機器及び表示システムについて、以下に示す各構成例を用いて具体的に説明を行う。
【００２９】
＜１−１．電子機器の構成例１＞
まず、図１を用いて本発明の一態様の電子機器について説明を行う。図１は、本発明の一態様の電子機器１００を説明するブロック図である。
【００３０】
図１に示す、電子機器１００は、アプリケーションプロセッサ１０２と、表示制御装置用インタフェース１０４と、表示制御装置１０６と、表示駆動装置１０８と、表示装置１１０と、を有する。
【００３１】
アプリケーションプロセッサ１０２は、表示装置１１０に表示させる表示データを、イメージデータと、テキストデータとに分離する機能と、当該イメージデータと、当該テキストデータとを表示制御装置用インタフェース１０４に転送する機能と、を有する。なお、図１においては、アプリケーションプロセッサ１０２から表示制御装置用インタフェース１０４に転送されるイメージデータをＩｍｇと、テキストデータをＴｘｔと、それぞれ明示してある。
【００３２】
表示制御装置用インタフェース１０４は、アプリケーションプロセッサ１０２から受け取ったイメージデータ及びテキストデータを、表示制御装置１０６に転送する機能を有する。なお、図１では、表示制御装置１０６に転送するデータを、転送データ１５０として明示している。また、転送データ１５０としては、イメージデータ及びテキストデータとなる。なお、図１においては、転送データ１５０が２系統で出力されている構成について例示したが、これに限定されない。１系統または３系統以上に分けて転送しても良い。ただし、表示制御装置用インタフェース１０４から、表示制御装置１０６の物理的な距離が長い場合には、転送データ１５０の出力される系統数が少ない方が好ましい。
【００３３】
表示制御装置１０６は、イメージデータ及びテキストデータのそれぞれに対応する表示データを生成し、表示駆動装置１０８へ当該表示データを送る機能を有する。例えば、イメージデータに対応する表示データを、第１の表示データとし、テキストデータに対応する表示データを、第２の表示データとすることができる。
【００３４】
表示駆動装置１０８は、表示制御装置１０６にて生成された各表示データのデータ形式をアナログ電圧値に変換する機能と、表示装置１１０に当該アナログ電圧値を出力する機能とを有する。なお、図１では、表示駆動装置１０８が表示駆動装置１０８ｉと、表示駆動装置１０８ｔと、を有する構成について例示している。例えば、表示駆動装置１０８ｉが第１の表示データを、表示駆動装置１０８ｔが第２の表示データを、表示装置１１０に出力することができる。ただし、表示駆動装置１０８の構成については、上記に限定されず、表示駆動装置１０８ｉ、及び表示駆動装置１０８ｔを設けない構成としてもよい。
【００３５】
上記のように、本発明の一態様の電子機器においては、アプリケーションプロセッサ１０２によって、転送データ１５０が制御される。具体的には、転送データ１５０は、イメージデータ及びテキストデータに分離される。また、転送データ１５０は、イメージデータと、テキストデータとに分離した形式で転送される。したがって、本発明の一態様においては、データ転送速度が抑制された電子機器を提供することができる。
【００３６】
＜１−２．電子機器の構成例２＞
次に、図１に示す電子機器１００と異なる態様の電子機器について、図２を用いて説明を行う。図２は、本発明の一態様の電子機器１００Ａを説明するブロック図である。
【００３７】
図２に示す、電子機器１００Ａは、アプリケーションプロセッサ１０２と、無線通信モジュール１２２と、メモリ１２４と、ＧＰＳモジュール１２６と、カメラモジュール１２８と、画像圧縮装置１３０と、フォーマット生成装置１３２と、画像処理装置１３４と、タッチパネルコントローラ１３６と、表示制御装置用インタフェース１０４と、表示制御装置１０６と、表示駆動装置１０８と、表示装置１１０と、を有する。
【００３８】
電子機器１００Ａは、図１に示す電子機器１００の構成に加え、さらに無線通信モジュール１２２、メモリ１２４、ＧＰＳモジュール１２６、カメラモジュール１２８、画像圧縮装置１３０、フォーマット生成装置１３２、画像処理装置１３４、及びタッチパネルコントローラ１３６を有する。
【００３９】
無線通信モジュール１２２は、アプリケーションに必要な情報をサーバーへ送信する機能と、サーバーからアプリケーションに必要な情報を受信する機能を有する。
【００４０】
メモリ１２４は、アプリケーションやペリフェラルモジュール等の情報を格納する機能を有する。また、メモリ１２４は、アプリケーションプロセッサ１０２によって管理される。
【００４１】
ＧＰＳモジュール１２６は、アプリケーションに応じて電子機器１００Ａの位置情報を算出する機能と、当該位置情報をメモリ１２４に送信する機能と、を有する。例えば、ＧＰＳモジュール１２６によって、得られた電子機器１００Ａの位置情報は、メモリ１２４に格納される。
【００４２】
カメラモジュール１２８は、アプリケーション内で使用する画像を撮像する機能を有する。例えば、カメラモジュール１２８で撮像された画像は、アプリケーションプロセッサ１０２にて画像データとして用いられる。また、カメラモジュール１２８で撮像された画像は、メモリ１２４に格納されてもよい。
【００４３】
タッチパネルコントローラ１３６は、表示装置１１０がタッチセンサを有する場合、当該タッチセンサを制御する機能と、ＧＵＩ（Ｇｒａｐｈｉｃａｌ  Ｕｓｅｒ  Ｉｎｔｅｒｆａｃｅ）として必要となる情報をアプリケーションプロセッサ１０２に転送する機能とを有する。
【００４４】
画像圧縮装置１３０、フォーマット生成装置１３２、及び画像処理装置１３４は、アプリケーションプロセッサ１０２によって制御される。具体的には、アプリケーションプロセッサ１０２は、表示装置１１０に表示する表示データに対して画像処理装置１３４を用いて画像処理を行う。また、アプリケーションプロセッサ１０２は、画像処理装置１３４を用いて得られた上記イメージデータを、画像圧縮装置１３０に出力する機能と、画像処理装置１３４を用いて得られた上記テキストデータを、フォーマット生成装置１３２に出力する機能と、を有する。
【００４５】
画像圧縮装置１３０は、イメージデータを圧縮する機能を有する。また、フォーマット生成装置１３２は、テキストデータをフォーマットする機能と、フォーマット化されたテキストデータを転送する機能を有する。なお、アプリケーションプロセッサ１０２が、画像圧縮装置１３０が有する機能と、フォーマット生成装置１３２が有する機能とを、有していてもよい。
【００４６】
図２に示す、本発明の一態様の電子機器１００Ａは、先に示す電子機器１００と同様に、アプリケーションプロセッサ１０２によって、転送データ１５０が制御される。具体的には、転送データ１５０は、イメージデータ及びテキストデータに分離される。また、転送データ１５０は、イメージデータと、テキストデータとに分離した形式で転送される。したがって、本発明の一態様においては、データ転送速度が抑制された電子機器を提供することができる。
【００４７】
＜１−３．電子機器の構成例３＞
次に、図２に示す電子機器１００Ａと異なる態様の電子機器について、図３を用いて説明を行う。図３は、本発明の一態様の電子機器１００Ｂを説明するブロック図である。
【００４８】
図３に示す、電子機器１００Ｂは、先に示す電子機器１００Ａの変形例であり、表示装置１１０が、より詳しく明示されている。
【００４９】
電子機器１００Ｂが有する表示装置１１０は、第１の表示領域１１０＿１と、第１の表示領域１１０＿１の上方に配置される第２の表示領域１１０＿２と、第２の表示領域１１０＿２の上方に配置されるタッチセンサ１１０＿３と、を有する。
【００５０】
なお、第１の表示領域１１０＿１、第２の表示領域１１０＿２、及びタッチセンサ１１０＿３の位置関係は上記構成に限定されない。その場合の一例を図４（Ａ）（Ｂ）に示す。また、図４（Ａ）は、タッチセンサ１１０＿３が設けられない構成の表示装置１１０の模式図である。図４（Ｂ）は、第２の表示領域１１０＿２上に第１の表示領域１１０＿１が設けられる構成の表示装置１１０の模式図である。
【００５１】
表示駆動装置１０８は、表示装置１１０が有する第１の表示領域１１０＿１、及び表示装置１１０が有する第２の表示領域１１０＿２に、それぞれ表示データを出力することができる。
【００５２】
例えば、第１の表示領域１１０＿１には、表示駆動装置１０８ｔを用いてテキストデータに対応した表示データを出力し、第２の表示領域１１０＿２には、表示駆動装置１０８ｉを用いてイメージデータに対応した表示データを出力すればよい。なお、使用者から見る画像は、第１の表示領域１１０＿１、及び第２の表示領域１１０＿２に表示された画像が重ね合わせた画像となる。また、場合によっては、第１の表示領域１１０＿１、及び第２の表示領域１１０＿２のいずれか一方または双方にキャラクターなどのイメージデータを表示させてもよい。なお、図３では、第２の表示領域１１０＿２にキャラクターを明示している。
【００５３】
また、第１の表示領域１１０＿１と、第２の表示領域１１０＿２との表示方法が異なると好ましい。例えば、第１の表示領域１１０＿１を、反射型の表示モードとし、第２の表示領域１１０＿２を、透過型の表示モードまたは放射型の表示モードとすることができる。ただし、これに限定されず、第１の表示領域１１０＿１を、放射型の表示モードとし、第２の表示領域１１０＿２を、反射型の表示モードとしてもよい。もちろん、第１の表示領域１１０＿１と、第２の表示領域１１０＿２との表示モードが同じであってもよい。
【００５４】
また、使用者は、タッチセンサ１１０＿３を用いて、第１の表示領域１１０＿１、または第２の表示領域１１０＿２に表示された画像を疑似的に操作することができる。すなわち、タッチセンサ１１０＿３は、ＧＵＩとしての機能を有する。なお、タッチセンサ１１０＿３は、検知手段の一種である。タッチセンサ１１０＿３には、指等の被検知体が近づくこと、または接触することを検知する様々なセンサを適用できる。例えば、静電容量方式、抵抗膜方式、表面弾性波方式、赤外線方式、電磁誘導方式、光学方式などの方式が適用されたセンサを用いることができる。そのほか、光電変換素子を用いた光学式センサ、感圧素子を用いた感圧センサなどを用いてもよい。また異なる方式のセンサを２種類以上有していてもよいし、同じ方式のセンサを２つ以上有していてもよい。
【００５５】
電子機器１１０Ｂは、表示装置１１０の構成以外、電子機器１１０Ａと同様であり、同様の効果を有する。
【００５６】
＜１−４．表示システムの駆動方法例＞
次に、本発明の一態様の表示装置を有する電子機器の駆動方法、別言すると、本発明の一態様の表示システムの駆動方法の一例について、図５乃至図７を用いて説明する。
【００５７】
図５は、表示装置１１０に表示される表示データ１５１である。表示データ１５１は、電子書籍の表紙の一例である。
【００５８】
表示データ１５１は、Ｔｘｔ１乃至Ｔｘｔ３で表されるテキストデータ領域１５２と、Ｐｈｏｔｏ１で表されるイメージデータ領域１５４と、を有する。
【００５９】
Ｔｘｔ１乃至Ｔｘｔ３は、それぞれ、文字の色、サイズ、配置などが異なる。Ｐｈｏｔｏ１は、外部デバイスなどによって得られたイメージデータである。
【００６０】
本発明の一態様の表示システムにおいては、表示データ１５１が有するテキストデータ領域１５２、及びイメージデータ領域１５４のそれぞれの属性を設定する。
【００６１】
ここで、図５に示す表示データ１５１を表示する際にウェブブラウザを利用した場合の一例を、図６及び図７にそれぞれ示す。
【００６２】
図６は、ＨＴＭＬ（Ｈｙｐｅｒ  Ｔｅｘｔ  Ｍａｒｋｕｐ  Ｌａｎｇｕａｇｅ）形式によって、テキストデータ領域１５２及びイメージデータ領域１５４の属性を定義する際の模式図である。なお、図６では、データファイル１５６が明示されている。
【００６３】
また、図７は、ＣＳＳ（Ｃａｓｃａｄｉｎｇ  Ｓｔｙｌｅ  Ｓｈｅｅｔｓ）形式によって、テキストデータ領域１５２の属性を定義する際の模式図である。なお、図７では、データファイル１５８が明示されている。
【００６４】
図６及び図７に示すように、表示データ１５１は、イメージデータ及びテキストデータそれぞれのデータを元に生成される。
【００６５】
次に、イメージデータ及びテキストデータを抽出する方法について、図８に示すフローチャートを用いて説明を行う。
【００６６】
図８は、イメージデータ及びテキストデータの抽出方法を説明するフローチャートである。
【００６７】
［第１のステップ］
まず、表示データの属性を設定する。ここでは、データファイル１５６の情報を元に表示データの属性を設定する（図６及び図８  ステップＳ１０１参照）。
【００６８】
次に、アプリケーションプロセッサによって、表示データが、イメージデータ及びテキストデータに構成されていないか判断を行う（図８  ステップＳ１０２参照）。
【００６９】
［第３のステップ］
次に、アプリケーションプロセッサによって、データファイル１５６の情報を元にイメージデータの抽出を行う（図８  ステップＳ１０３参照）。
【００７０】
［第４のステップ］
次に、イメージデータの圧縮を行う（図８  ステップＳ１０４参照）。
【００７１】
イメージデータの圧縮としては、アプリケーションプロセッサまたは画像圧縮装置などを用いればよい。
【００７２】
［第５のステップ］
次に、ステップＳ１０４にて圧縮されたイメージデータを表示駆動回路へ転送する（図８  ステップＳ１０５参照）。
【００７３】
上記の第１乃至第５のステップがイメージデータの処理方法の説明である。ステップＳ１０２において、表示データにテキストデータが含まれている場合には、ステップＳ１０２のあと、ステップＳ１０６に移行する。
【００７４】
［第６のステップ］
データファイル１５６の情報を元にテキストデータの抽出を行う（図８  ステップＳ１０６参照）。
【００７５】
［第７のステップ］
次に、アプリケーションプロセッサによって、テキストデータがデータファイル１５８に定義される。
【００７６】
なお、データファイル１５８としては、文字コード変換、各文字列に対応するタグ等が与えられる。
【００７７】
［第８のステップ］
次に、データファイル１５８の情報を元に、テキストデータに、さらに書式を添付したテキストデータ形式に変換する（図８  ステップＳ１０８参照）。
【００７８】
［第９のステップ］
次に、ステップＳ１０８にて変換されたテキストデータを表示駆動回路へ転送する（図８  ステップＳ１０９参照）。
【００７９】
上記の第１のステップ、第２のステップ、及び第６乃至第９のステップがテキストデータの処理方法の説明である。
【００８０】
図８においては、表示データが、図５に示す表示データ１５１のように、イメージデータと、テキストデータとによって構成されている場合についての説明である。なお、表示データがイメージデータのみの場合には、ステップＳ１０２のあと、ステップＳ１０３乃至Ｓ１０５に示すステップが行われ、表示データがテキストデータのみの場合には、ステップＳ１０２のあと、ステップＳ１０６乃至Ｓ１０９に示すステップが行われる。
【００８１】
＜１−５．データ転送量＞
ここで、本発明の一態様である表示システムの駆動方法を用いる場合のデータ転送量と、本発明の一態様と異なる駆動方法を用いる場合のデータ転送量について、図９（Ａ）（Ｂ）を用いて説明を行う。
【００８２】
図９（Ａ）は、各転送形式における、転送データ量を説明する図である。なお、図９（Ａ）では、図５に示す表示データ１５１を、すべてイメージデータとして圧縮して転送した場合（ＴｙｐｅＡ）と、図５に示す表示データ１５１を、イメージデータと、テキストデータとに分離して圧縮して転送した場合（ＴｙｐｅＢ）とを比較している。なお、図９（Ａ）に示すＴｙｐｅＢが本発明の一態様の表示システムの駆動方法の一例である。
【００８３】
図９（Ａ）に示すように、表示データ１５１を、すべてイメージデータとして圧縮して転送したＴｙｐｅＡと比較し、表示データ１５１を、イメージデータと、テキストデータとに分離して圧縮して転送したＴｙｐｅＢは、１／２以下の転送データ量になることが分かる。
【００８４】
また、図９（Ｂ）は、図９（Ａ）に示すＴｙｐｅＢの転送形式における、転送データ量の内訳を説明する図である。
【００８５】
図９（Ｂ）に示すように、テキストデータは、イメージデータと比較して転送データ量が小さいことが分かる。
【００８６】
以上のように、表示データの文字などに対しては、テキストデータ形式を用いて転送することで、イメージデータを用いて転送する場合よりも転送データ量を削減することが可能となる。
【００８７】
本実施の形態は、少なくともその一部を本明細書中に記載する他の実施の形態と適宜組み合わせて実施することができる。
【００８８】
（実施の形態２）
本実施の形態では、実施の形態１で例示した表示制御装置１０６の詳細について、図１０を用いて説明を行う。
【００８９】
＜２．表示制御装置の構成＞
図１０は、表示制御装置１０６の構成を説明するブロック図である。
【００９０】
表示制御装置１０６は、レシーバ回路２０１と、タイミング制御回路２０２と、テキストメモリ２０３と、書式制御回路２０４と、イメージメモリ２０５と、第１の表示領域のイメージデータ生成回路２０６と、第２の表示領域のイメージデータ生成回路２０７と、画像伸張回路２０８と、を有する。なお、書式制御回路２０４は、書式保持用メモリ２０９を有する。
【００９１】
レシーバ回路２０１は、イメージデータと、テキストデータとを、アプリケーションプロセッサ１０２から受け取る。また、レシーバ回路２０１は、受け取ったデータを確認し、データに応じて、その他の機能ブロックに信号を供給する機能を有する。
【００９２】
テキストメモリ２０３は、文字列情報を管理する機能を有する。また、イメージメモリ２０５は、画像伸張回路２０８を介して伸張された画像情報を管理する機能を有する。
【００９３】
第１の表示領域のイメージデータ生成回路２０６は、文字情報が管理されているテキストメモリ２０３と、書式情報が管理されている書式制御回路２０４とにより、第１の表示領域１１０＿１に表示するテキストデータを生成する機能を有する。
【００９４】
第２の表示領域のイメージデータ生成回路２０７は、画像情報の管理をするイメージメモリ２０５と、書式情報を管理する書式制御回路２０４から与えられる情報により、第２の表示領域１１０＿２に表示するイメージデータを生成する機能を有する。
【００９５】
タイミング制御回路２０２は、第１の表示領域のイメージデータ生成回路２０６によって生成されたテキストデータを、第１の表示領域１１０＿１に転送するためのタイミングを生成する機能を有する。また、タイミング制御回路２０２は、第２の表示領域のイメージデータ生成回路２０７によって生成されたイメージデータを、第２の表示領域１１０＿２に転送するためのタイミングを生成する機能を有する。
【００９６】
書式制御回路２０４は、書式情報を管理する機能を有する。なお、書式情報には、文字を表示するために必要なレイアウト情報が含まれる。また、レイアウト情報には、フォント情報が含まれる。また、書式制御回路２０４は、一度使用した書式情報を複数管理する書式保持用メモリ２０９に保存する機能を有する。
【００９７】
図１０に示す表示制御装置１０６を用いることで、実施の形態１の図３に示す表示装置１１０を好適に制御することができる。
【００９８】
本実施の形態は、少なくともその一部を本明細書中に記載する他の実施の形態と適宜組み合わせて実施することができる。
【００９９】
（実施の形態３）
本実施の形態では、本発明の一態様の表示装置について、図１１乃至図１６を用いて説明する。
【０１００】
本実施の形態の表示装置は、可視光を反射する第１の表示素子と、可視光を発する第２の表示素子とを有する。
【０１０１】
本実施の形態の表示装置は、第１の表示素子が反射する光と、第２の表示素子が発する光のうち、いずれか一方または双方により、画像を表示する機能を有する。
【０１０２】
第１の表示素子には、外光を反射して表示する素子を用いることができる。このような素子は光源を持たないため、表示の際の消費電力を極めて小さくすることが可能となる。
【０１０３】
第１の表示素子には、代表的には反射型の液晶素子を用いることができる。または、第１の表示素子として、シャッター方式のＭＥＭＳ（Ｍｉｃｒｏ  Ｅｌｅｃｔｒｏ  Ｍｅｃｈａｎｉｃａｌ  Ｓｙｓｔｅｍ）素子、光干渉方式のＭＥＭＳ素子の他、マイクロカプセル方式、電気泳動方式、エレクトロウェッティング方式、電子粉流体（登録商標）方式等を適用した素子などを用いることができる。
【０１０４】
第２の表示素子には、発光素子を用いることが好ましい。このような表示素子が発する光は、その輝度や色度が外光に左右されることが少ないため、色再現性が高く（色域が広く）、コントラストの高い、鮮やかな表示を行うことができる。
【０１０５】
第２の表示素子には、例えばＯＬＥＤ（Ｏｒｇａｎｉｃ  Ｌｉｇｈｔ  Ｅｍｉｔｔｉｎｇ  Ｄｉｏｄｅ）、ＬＥＤ（Ｌｉｇｈｔ  Ｅｍｉｔｔｉｎｇ  Ｄｉｏｄｅ）、ＱＬＥＤ（Ｑｕａｎｔｕｍ−ｄｏｔ  Ｌｉｇｈｔ  Ｅｍｉｔｔｉｎｇ  Ｄｉｏｄｅ）、半導体レーザなどの自発光性の発光素子を用いることができる。なお、第２の表示素子には、自発光性の発光素子を用いることが好ましいが、これに限定されず、例えば、バックライト、またはサイドライトなどの光源と、液晶素子とを組み合わせた透過型の液晶素子を用いてもよい。
【０１０６】
本実施の形態の表示装置は、第１の表示素子を用いて画像を表示する第１のモードと、第２の表示素子を用いて画像を表示する第２のモードと、第１の表示素子及び第２の表示素子の双方を用いて画像を表示する第３のモードと、を有し、第１乃至第３のモードを自動または手動で切り替えることができる。以下では、第１乃至第３のモードの詳細について説明する。
【０１０７】
［第１のモード］
第１のモードでは、第１の表示素子と外光とを用いて画像を表示する。第１のモードは光源が不要であるため、極めて低消費電力なモードである。例えば、表示装置に外光が十分に入射されるとき（明るい環境下など）は、第１の表示素子が反射した光を用いて表示を行うことができる。例えば、外光が十分に強く、かつ外光が白色光またはその近傍の光である場合に有効である。第１のモードは、文字を表示することに適したモードである。また、第１のモードは、外光を反射した光を用いるため、目に優しい表示を行うことができ、目が疲れにくいという効果を奏する。なお、第１のモードを、反射した光を用いて表示を行うため、反射型の表示モード（Ｒｅｆｌｅｃｔｉｏｎ  ｍｏｄｅ）と呼称してもよい。
【０１０８】
［第２のモード］
第２のモードでは、第２の表示素子による発光を利用して画像を表示する。そのため、照度や外光の色度によらず、極めて鮮やかな（コントラストが高く、且つ色再現性の高い）表示を行うことができる。例えば、夜間や暗い室内など、照度が極めて低い場合などに有効である。また、周囲が暗い場合、明るい表示を行うと使用者が眩しく感じてしまう場合がある。これを防ぐために、第２のモードでは輝度を抑えた表示を行うことが好ましい。これにより、眩しさを抑えることに加え、消費電力も低減することができる。第２のモードは、鮮やかな画像（静止画及び動画）などを表示することに適したモードである。なお、第２のモードを、発光、すなわち放射した光を用いて表示を行うため、放射型の表示モード（Ｅｍｉｓｓｉｏｎ  ｍｏｄｅ）と呼称してもよい。
【０１０９】
［第３のモード］
第３のモードでは、第１の表示素子による反射光と、第２の表示素子による発光との双方を利用して表示を行う。なお、第１の表示素子と第２の表示素子とを、それぞれ独立に駆動させ、且つ第１の表示素子と第２の表示素子とを、同一期間内で駆動させることで、第１の表示素子と、第２の表示素子とを組み合わせた表示を行うことができる。なお、本明細書等において、第１の表示素子と、第２の表示素子とを組み合わせた表示、すなわち、第３のモードをハイブリッド表示モード（ＨＢ表示モード）と呼称することができる。または、第３のモードを、放射型の表示モードと、反射型の表示モードとを組み合わせた表示モード（ＥＲ−Ｈｙｂｒｉｄ  ｍｏｄｅ）と呼称してもよい。
【０１１０】
第３のモードで表示を行うことで、第１のモードよりも鮮やかな表示とし、且つ第２のモードよりも消費電力を抑えることができる。例えば、室内照明下や、朝方や夕方の時間帯など、比較的照度が低い場合、外光の色度が白色ではない場合などに有効である。また、反射光と発光とを混合させた光を用いることで、まるで絵画を見ているかのように感じさせる画像を表示することが可能となる。
【０１１１】
＜第１乃至第３のモードの具体例＞
ここで、上述した第１乃至第３のモードを用いる場合の具体例について、図１１及び図１２を用いて説明する。
【０１１２】
なお、以下では、第１乃至第３のモードが照度に応じて自動に切り替わる場合について説明する。なお、照度に応じて自動で切り替わる場合、例えば、表示装置に照度センサ等を設け、当該照度センサからの情報をもとに表示モードを切り替えることができる。
【０１１３】
図１１（Ａ）（Ｂ）（Ｃ）は、本実施の形態の表示装置が取り得る表示モードを説明するための画素の模式図である。
【０１１４】
図１１（Ａ）（Ｂ）（Ｃ）では、第１の表示素子５０１、第２の表示素子５０２、開口部５０３、第１の表示素子５０１から反射される反射光５０４、及び第２の表示素子５０２から開口部５０３を通って射出される透過光５０５が明示されている。なお、図１１（Ａ）が第１のモードを説明する図であり、図１１（Ｂ）が第２のモードを説明する図であり、図１１（Ｃ）が第３のモードを説明する図である。
【０１１５】
なお、図１１（Ａ）（Ｂ）（Ｃ）では、第１の表示素子５０１として、反射型の液晶素子を用い、第２の表示素子５０２として、自発光型のＯＬＥＤを用いる場合とする。
【０１１６】
図１１（Ａ）に示す第１のモードでは、第１の表示素子５０１である、反射型の液晶素子を駆動して反射光の強度を調節して階調表示を行うことができる。例えば、図１１（Ａ）に示すように、第１の表示素子５０１である、反射型の液晶素子が有する反射電極で、反射光５０４の強度を液晶層で調節することで階調表示を行うことができる。
【０１１７】
図１１（Ｂ）に示す第２のモードでは、第２の表示素子５０２である、自発光型のＯＬＥＤの発光強度を調節して階調表示を行うことができる。なお、第２の表示素子５０２から射出される光は、開口部５０３を通過し、透過光５０５として外部に取り出される。
【０１１８】
図１１（Ｃ）に示す第３のモードは、上述した第１のモードと、第２のモードとを組み合わせた表示モードである。例えば、図１１（Ｃ）に示す第１の表示素子５０１である、反射型の液晶素子と、第２の表示素子５０２である、自発光型のＯＬＥＤと例えば、第１の表示素子５０１である、反射型の液晶素子が有する反射電極で、反射光５０４の強度を液晶層で調節し階調表示を行う。また、第１の表示素子５０１の駆動する期間と、同じ期間内に、第２の表示素子５０２である、自発光型のＯＬＥＤの発光強度、ここでは透過光５０５の強度を調整し階調表示を行う。
【０１１９】
＜第１乃至第３のモードの状態遷移＞
次に、第１乃至第３のモードの状態遷移について、図１１（Ｄ）を用いて説明を行う。図１１（Ｄ）は、第１のモード、第２のモード、及び第３のモードの状態遷移図である。図１１（Ｄ）に示す、状態Ｃ１は第１のモードに相当し、状態Ｃ２は第２のモードに相当し、状態Ｃ３は第３のモードに相当する。
【０１２０】
図１１（Ｄ）に図示するように、状態Ｃ１から状態Ｃ３までは照度に応じていずれかの状態の表示モードを取り得る。例えば、屋外のように照度が大きい場合には、状態Ｃ１を取り得る。また、屋外から屋内に移動するような照度が小さくなる場合には、状態Ｃ１から状態Ｃ２に遷移する。また、屋外であっても照度が低く、反射光による階調表示が十分でない場合には、状態Ｃ２から状態Ｃ３に遷移する。もちろん、状態Ｃ３から状態Ｃ１への遷移、状態Ｃ１から状態Ｃ３への遷移、状態Ｃ３から状態Ｃ２への遷移、または状態Ｃ２から状態Ｃ１への遷移も生じる。
【０１２１】
なお、図１（Ｄ）では、第１のモードのイメージとして太陽のシンボルを、第２のモードのイメージとして、月のシンボルを、第３のモードのイメージとして、雲のシンボルを、それぞれ図示してある。
【０１２２】
なお、図１１（Ｄ）に図示するように、状態Ｃ１乃至状態Ｃ３において、照度の変化がない、または照度の変化が少ない場合には、他の状態に遷移せずに、続けて元の状態を維持すればよい。
【０１２３】
以上のように照度に応じて表示モードを切り替える構成とすることで、消費電力が比較的大きい発光素子の光の強度による階調表示の頻度を減らすことができる。そのため、表示装置の消費電力を低減することができる。また、表示装置は、バッテリの残容量、表示するコンテンツ、または周辺環境の照度に応じて、さらに動作モードを切り替えることができる。なお、上記の説明においては、照度に応じて表示モードが自動で切り替わる場合について例示したがこれに限定されず、使用者が手動で表示モードを切り替えてもよい。
【０１２４】
＜動作モード＞
次に、第１の表示素子で行うことができる動作モードについて、図１２を用いて説明を行う。
【０１２５】
なお、以下では、通常のフレーム周波数（代表的には６０ＭＨｚ以上２４０ＭＨｚ以下）で動作する通常動作モード（Ｎｏｒｍａｌ  ｍｏｄｅ）と、低速のフレーム周波数で動作するアイドリング・ストップ（ＩＤＳ）駆動モードと、を例示して説明する。
【０１２６】
なお、アイドリング・ストップ（ＩＤＳ）駆動モードとは、画像データの書き込み処理を実行した後、画像データの書き換えを停止する駆動方法のことをいう。一旦画像データの書き込みをして、その後、次の画像データの書き込みまでの間隔を延ばすことで、その間の画像データの書き込みに要する分の消費電力を削減することができる。アイドリング・ストップ（ＩＤＳ）駆動モードは、例えば、通常動作モードの１／１００乃至１／１０程度のフレーム周波数とすることができる。
【０１２７】
図１２（Ａ）（Ｂ）（Ｃ）は、通常駆動モードとアイドリング・ストップ（ＩＤＳ）駆動モードを説明する回路図及びタイミングチャートである。なお、図１２（Ａ）では、第１の表示素子５０１（ここでは液晶素子）と、第１の表示素子５０１に電気的に接続される画素回路５０６と、を明示している。また、図１２（Ａ）に示す画素回路５０６では、信号線ＳＬと、ゲート線ＧＬと、信号線ＳＬ及びゲート線ＧＬに接続されたトランジスタＭ１と、トランジスタＭ１に接続される容量素子ＣｓＬＣとを図示している。
【０１２８】
トランジスタＭ１としては、半導体層に金属酸化物を有するトランジスタを用いることが好ましい。金属酸化物が増幅作用、整流作用、及びスイッチング作用の少なくとも１つを有する場合、当該金属酸化物を、金属酸化物半導体（ｍｅｔａｌ  ｏｘｉｄｅ  ｓｅｍｉｃｏｎｄｕｃｔｏｒ）または酸化物半導体（ｏｘｉｄｅ  ｓｅｍｉｃｏｎｄｕｃｔｏｒ）、略してＯＳと呼ぶことができる。以下、トランジスタの代表例として、酸化物半導体を有するトランジスタ（ＯＳトランジスタ）を用いて説明する。ＯＳトランジスタは、非導通状態時のリーク電流（オフ電流）が極めて低いため、ＯＳトランジスタを非導通状態とすることで液晶素子の画素電極に電荷の保持をすることができる。
【０１２９】
なお、上記ＯＳトランジスタのチャネル領域には、例えば、Ｉｎ−Ｇａ−Ｚｎ酸化物、Ｉｎ−Ｚｎ酸化物などを好適に用いることができる。また、上記Ｉｎ−Ｇａ−Ｚｎ酸化物としては、代表的には、Ｉｎ：Ｇａ：Ｚｎ＝４：２：４．１［原子数比］近傍の組成を用いることができる。
【０１３０】
また、図１２（Ｂ）は、通常駆動モードでの信号線ＳＬおよびゲート線ＧＬにそれぞれ与える信号の波形を示すタイミングチャートである。通常駆動モードでは通常のフレーム周波数（例えば６０Ｈｚ）で動作する。１フレーム期間を期間Ｔ１からＴ３までで表すと、各フレーム期間でゲート線ＧＬに走査信号を与え、信号線ＳＬからデータＤ１を書き込む動作を行う。この動作は、期間Ｔ１からＴ３までで同じデータＤ１を書き込む場合、または異なるデータを書き込む場合でも同じである。
【０１３１】
一方、図１２（Ｃ）は、アイドリング・ストップ（ＩＤＳ）駆動モードでの信号線ＳＬおよびゲート線ＧＬに、それぞれ与える信号の波形を示すタイミングチャートである。アイドリング・ストップ（ＩＤＳ）駆動では低速のフレーム周波数（例えば１Ｈｚ）で動作する。１フレーム期間を期間Ｔ１で表し、その中でデータの書き込み期間を期間ＴＷ、データの保持期間を期間ＴＲＥＴで表す。アイドリング・ストップ（ＩＤＳ）駆動モードは、期間ＴＷでゲート線ＧＬに走査信号を与え、信号線ＳＬのデータＤ１を書き込み、期間ＴＲＥＴでゲート線ＧＬをローレベルの電圧に固定し、トランジスタＭ１を非導通状態として一旦書き込んだデータＤ１を保持させる動作を行う。
【０１３２】
アイドリング・ストップ（ＩＤＳ）駆動モードは、上述した第１のモード、または第３のモードと組み合わせることで、さらなる低消費電力化を図ることができるため有効である。
【０１３３】
以上のように、本実施の形態の表示装置は、第１のモード乃至第３のモードを切り替えて表示を行うことができる。したがって、周囲の明るさによらず、視認性が高く利便性の高い表示装置または全天候型の表示装置を実現できる。
【０１３４】
また、本実施の形態の表示装置は、第１の表示素子を有する第１の画素と、第２の表示素子を有する第２の画素とをそれぞれ複数有すると好ましい。また、第１の画素と第２の画素とは、それぞれ、マトリクス状に配置されることが好ましい。
【０１３５】
第１の画素及び第２の画素は、それぞれ、１つ以上の副画素を有する構成とすることができる。例えば、画素には、副画素を１つ有する構成（白色（Ｗ）など）、副画素を３つ有する構成（赤色（Ｒ）、緑色（Ｇ）、及び青色（Ｂ）の３色など）、あるいは、副画素を４つ有する構成（赤色（Ｒ）、緑色（Ｇ）、青色（Ｂ）、白色（Ｗ）の４色、または、赤色（Ｒ）、緑色（Ｇ）、青色（Ｂ）、黄色（Ｙ）の４色など）を適用できる。なお、第１の画素及び第２の画素が有する色要素は、上記に限定されず、必要に応じて、シアン（Ｃ）及びマゼンタ（Ｍ）などを組み合わせてもよい。
【０１３６】
本実施の形態の表示装置は、第１の画素及び第２の画素は、双方とも、フルカラー表示を行う構成とすることができる。または、本実施の形態の表示装置は、第１の画素では白黒表示またはグレースケールでの表示を行い、第２の画素ではフルカラー表示を行う構成とすることができる。第１の画素を用いた白黒表示またはグレースケールでの表示は、文書情報など、カラー表示を必要としない情報を表示することに適している。
【０１３７】
＜表示装置の斜視概略図＞
次に、本実施の形態の表示装置について、図１３を用いて説明を行う。図１３は、表示装置５１０の斜視概略図である。
【０１３８】
表示装置５１０は、基板５１１と基板５１２とが貼り合わされた構成を有する。図１３では、基板５１２を破線で明示している。
【０１３９】
表示装置５１０は、表示部５１４、回路５１６、配線５１８等を有する。図１３では表示装置５１０にＩＣ５２０及びＦＰＣ５２２が実装されている例を示している。そのため、図１３に示す構成は、表示装置５１０、ＩＣ５２０、及びＦＰＣ５２２を有する表示モジュールということもできる。
【０１４０】
回路５１６としては、例えば走査線駆動回路を用いることができる。
【０１４１】
配線５１８は、表示部５１４及び回路５１６に信号及び電力を供給する機能を有する。当該信号及び電力は、ＦＰＣ５２２を介して外部から、またはＩＣ５２０から配線５１８に入力される。
【０１４２】
図１３では、ＣＯＧ（Ｃｈｉｐ  Ｏｎ  Ｇｌａｓｓ）方式またはＣＯＦ（Ｃｈｉｐ  ｏｎ  Ｆｉｌｍ）方式等により、基板５１１にＩＣ５２０が設けられている例を示す。ＩＣ５２０は、例えば走査線駆動回路または信号線駆動回路などを有するＩＣを適用できる。なお、表示装置５１０には、ＩＣ５２０を設けない構成としてもよい。また、ＩＣ５２０を、ＣＯＦ方式等により、ＦＰＣに実装してもよい。
【０１４３】
図１３には、表示部５１４の一部の拡大図を示している。表示部５１４には、複数の表示素子が有する電極５２４がマトリクス状に配置されている。電極５２４は、可視光を反射する機能を有し、液晶素子５５０（後述する）の反射電極として機能する。
【０１４４】
また、図１３に示すように、電極５２４は開口部５２６を有する。さらに表示部５１４は、電極５２４よりも基板５１１側に、発光素子５７０を有する。発光素子５７０からの光は、電極５２４の開口部５２６を介して基板５１２側に射出される。発光素子５７０の発光領域の面積と開口部５２６の面積とは等しくてもよい。発光素子５７０の発光領域の面積と開口部５２６の面積のうち一方が他方よりも大きいと、位置ずれに対するマージンが大きくなるため好ましい。
【０１４５】
＜構成例１＞
図１４に、図１３で示した表示装置５１０の、ＦＰＣ５２２を含む領域の一部、回路５１６を含む領域の一部、及び表示部５１４を含む領域の一部をそれぞれ切断したときの断面の一例を示す。
【０１４６】
図１４に示す表示装置５１０は、基板５１１と基板５１２の間に、トランジスタ５０１ｔ、トランジスタ５０３ｔ、トランジスタ５０５ｔ、トランジスタ５０６ｔ、液晶素子５５０、発光素子５７０、絶縁層５３０、絶縁層５３１、着色層５３２、着色層５３３等を有する。基板５１２と絶縁層５３０は接着層５３４を介して接着される。基板５１１と絶縁層５３１は接着層５３５を介して接着されている。
【０１４７】
基板５１２には、着色層５３２、遮光層５３６、絶縁層５３０、及び液晶素子５５０の共通電極として機能する電極５３７、配向膜５３８ｂ、絶縁層５３９等が設けられている。基板５１２の外側の面には、偏光板５４０を有する。絶縁層５３０は、平坦化層としての機能を有していてもよい。絶縁層５３０により、電極５３７の表面を概略平坦にできるため、液晶層５４１の配向状態を均一にできる。絶縁層５３９は、液晶素子５５０のセルギャップを保持するためのスペーサとして機能する。絶縁層５３９が可視光を透過する場合は、絶縁層５３９を液晶素子５５０の表示領域と重ねて配置してもよい。
【０１４８】
液晶素子５５０は反射型の液晶素子である。液晶素子５５０は、画素電極として機能する電極５４２、液晶層５４１、電極５３７が積層された積層構造を有する。電極５４２の基板５１１側に接して、可視光を反射する電極５２４が設けられている。電極５２４は開口部５２６を有する。電極５４２及び電極５３７は可視光を透過する。液晶層５４１と電極５４２の間に配向膜５３８ａが設けられている。液晶層５４１と電極５３７との間に配向膜５３８ｂが設けられている。
【０１４９】
液晶素子５５０において、電極５２４は可視光を反射する機能を有し、電極５３７は可視光を透過する機能を有する。基板５１２側から入射した光は、偏光板５４０により偏光され、電極５３７、液晶層５４１を透過し、電極５２４で反射する。そして液晶層５４１及び電極５３７を再度透過して、偏光板５４０に達する。このとき、電極５２４と電極５３７の間に与える電圧によって液晶の配向を制御し、光の光学変調を制御することができる。すなわち、偏光板５４０を介して射出される光の強度を制御することができる。また光は着色層５３２によって特定の波長領域以外の光が吸収されることにより、取り出される光は、例えば赤色を呈する光となる。
【０１５０】
図１４に示すように、開口部５２６には可視光を透過する電極５４２が設けられていることが好ましい。これにより、開口部５２６と重なる領域においてもそれ以外の領域と同様に液晶層５４１が配向するため、これらの領域の境界部で液晶の配向不良が生じ、光が漏れてしまうことを抑制できる。
【０１５１】
接続部５４３において、電極５２４は、導電層５４４を介して、トランジスタ５０６ｔが有する導電層５４５と電気的に接続されている。トランジスタ５０６ｔは、液晶素子５５０の駆動を制御する機能を有する。
【０１５２】
接着層５３４が設けられる一部の領域には、接続部５４６が設けられている。接続部５４６において、電極５４２と同一の導電膜を加工して得られた導電層と、電極５３７の一部が、接続体５４７により電気的に接続されている。したがって、基板５１２側に形成された電極５３７に、基板５１１側に接続されたＦＰＣ５２２から入力される信号または電位を、接続部５４６を介して供給することができる。
【０１５３】
接続体５４７としては、例えば導電性の粒子を用いることができる。導電性の粒子としては、有機樹脂またはシリカなどの粒子の表面を金属材料で被覆したものを用いることができる。金属材料としてニッケルや金を用いると接触抵抗を低減できるため好ましい。またニッケルをさらに金で被覆するなど、２種類以上の金属材料を層状に被覆させた粒子を用いることが好ましい。また接続体５４７として、弾性変形、または塑性変形する材料を用いることが好ましい。このとき導電性の粒子である接続体５４７は、図１４に示すように上下方向に潰れた形状となる場合がある。こうすることで、接続体５４７と、これと電気的に接続する導電層との接触面積が増大し、接触抵抗を低減できるほか、接続不良などの不具合の発生を抑制することができる。
【０１５４】
接続体５４７は、接着層５３４に覆われるように配置することが好ましい。例えば接着層５３４となるペースト等を塗布した後に、接続体５４７を配置すればよい。
【０１５５】
発光素子５７０は、ボトムエミッション型の発光素子である。発光素子５７０は、絶縁層５３０側から画素電極として機能する電極５４８、ＥＬ層５５２、及び共通電極として機能する電極５５３の順に積層された積層構造を有する。電極５４８は、絶縁層５５４に設けられた開口を介して、トランジスタ５０５ｔが有する導電層５５５と接続されている。トランジスタ５０５ｔは、発光素子５７０の駆動を制御する機能を有する。絶縁層５３１が電極５４８の端部を覆っている。電極５５３は可視光を反射する材料を含み、電極５４８は可視光を透過する材料を含む。電極５５３を覆って絶縁層５５６が設けられている。発光素子５７０が発する光は、着色層５３３、絶縁層５３０、開口部５２６等を介して、基板５１２側に射出される。
【０１５６】
液晶素子５５０及び発光素子５７０は、画素によって着色層の色を変えることで、様々な色を呈することができる。表示装置５１０は、液晶素子５５０を用いて、カラー表示を行うことができる。表示装置５１０は、発光素子５７０を用いて、カラー表示を行うことができる。
【０１５７】
トランジスタ５０１ｔ、トランジスタ５０３ｔ、トランジスタ５０５ｔ、及びトランジスタ５０６ｔは、いずれも絶縁層５５７の基板５１１側の面上に形成されている。これらのトランジスタは、同一の工程を用いて作製することができる。
【０１５８】
液晶素子５５０と電気的に接続される回路は、発光素子５７０と電気的に接続される回路と同一面上に形成されることが好ましい。これにより、２つの回路を別々の面上に形成する場合に比べて、表示装置の厚さを薄くすることができる。また、２つのトランジスタを同一の工程で作製できるため、２つのトランジスタを別々の面上に形成する場合に比べて、作製工程を簡略化することができる。
【０１５９】
液晶素子５５０の画素電極は、トランジスタが有するゲート絶縁層を挟んで、発光素子５７０の画素電極とは反対に位置する。
【０１６０】
トランジスタ５０３ｔは、画素の選択、非選択状態を制御するトランジスタ（スイッチングトランジスタ、または選択トランジスタともいう）である。トランジスタ５０５ｔは、発光素子５７０に流れる電流を制御するトランジスタ（駆動トランジスタともいう）である。なお、トランジスタのチャネル形成領域に用いる材料には、金属酸化物を用いると好ましい。
【０１６１】
絶縁層５５７の基板５１１側には、絶縁層５５８、絶縁層５５９、絶縁層５６０等の絶縁層が設けられている。絶縁層５５８は、その一部が各トランジスタのゲート絶縁層として機能する。絶縁層５５９は、トランジスタ５０６ｔ等を覆って設けられる。絶縁層５６０は、トランジスタ５０５ｔ等を覆って設けられている。絶縁層５５４は、平坦化層としての機能を有する。なお、トランジスタを覆う絶縁層の数は限定されず、単層であっても２層以上であってもよい。
【０１６２】
各トランジスタを覆う絶縁層の少なくとも一層に、水や水素などの不純物が拡散しにくい材料を用いることが好ましい。これにより、絶縁層をバリア膜として機能させることができる。このような構成とすることで、トランジスタに対して外部から不純物が拡散することを効果的に抑制することが可能となり、信頼性の高い表示装置を実現できる。
【０１６３】
トランジスタ５０１ｔ、トランジスタ５０３ｔ、トランジスタ５０５ｔ、及びトランジスタ５０６ｔは、ゲートとして機能する導電層５６１、ゲート絶縁層として機能する絶縁層５５８、ソース及びドレインとして機能する導電層５４５及び導電層５６２、並びに、半導体層５６３を有する。ここでは、同一の導電膜を加工して得られる複数の層に、同じハッチングパターンを付している。
【０１６４】
トランジスタ５０１ｔ及びトランジスタ５０５ｔは、トランジスタ５０３ｔ及びトランジスタ５０６ｔの構成に加えて、ゲートとして機能する導電層５６４を有する。
【０１６５】
トランジスタ５０１ｔ及びトランジスタ５０５ｔには、チャネルが形成される半導体層を２つのゲートで挟持する構成が適用されている。このような構成とすることで、トランジスタのしきい値電圧を制御することができる。２つのゲートを接続し、これらに同一の信号を供給することによりトランジスタを駆動してもよい。このようなトランジスタは他のトランジスタと比較して電界効果移動度を高めることが可能であり、オン電流を増大させることができる。その結果、高速駆動が可能な回路を作製することができる。さらには、回路部の占有面積を縮小することが可能となる。オン電流の大きなトランジスタを適用することで、表示装置を大型化、または高精細化したときに配線数が増大したとしても、各配線における信号遅延を低減することが可能であり、表示ムラを抑制することができる。
【０１６６】
または、２つのゲートのうち、一方にしきい値電圧を制御するための電位を与え、他方に駆動のための電位を与えることで、トランジスタのしきい値電圧を制御することができる。
【０１６７】
表示装置が有するトランジスタの構造に限定はない。回路５１６が有するトランジスタと、表示部５１４が有するトランジスタは、同じ構造であってもよく、異なる構造であってもよい。回路５１６が有する複数のトランジスタは、全て同じ構造であってもよく、２種類以上の構造が組み合わせて用いられていてもよい。同様に、表示部５１４が有する複数のトランジスタは、全て同じ構造であってもよく、２種類以上の構造が組み合わせて用いられていてもよい。
【０１６８】
基板５１１の基板５１２と重ならない領域には、接続部５７２が設けられている。接続部５７２では、配線５１８が接続層５７３を介してＦＰＣ５２２と電気的に接続されている。接続部５７２は、接続部５４３と同様の構成を有している。接続部５７２の上面は、電極５４２と同一の導電膜を加工して得られた導電層が露出している。これにより、接続部５７２とＦＰＣ５２２とを接続層５７３を介して電気的に接続することができる。
【０１６９】
基板５１２の外側の面に配置する偏光板５４０として直線偏光板を用いてもよいが、円偏光板を用いることもできる。円偏光板としては、例えば直線偏光板と１／４波長位相差板を積層したものを用いることができる。これにより、外光反射を抑制することができる。また、偏光板の種類に応じて、液晶素子５５０に用いる液晶素子のセルギャップ、配向、駆動電圧等を調整することで、所望のコントラストが実現されるようにすればよい。
【０１７０】
なお、基板５１２の外側には各種光学部材を配置することができる。光学部材としては、偏光板、位相差板、光拡散層（拡散フィルムなど）、反射防止層、及び集光フィルム等が挙げられる。また、基板５１２の外側には、ゴミの付着を抑制する帯電防止膜、汚れを付着しにくくする撥水性の膜、使用に伴う傷の発生を抑制するハードコート膜等を配置してもよい。
【０１７１】
基板５１１及び基板５１２には、それぞれ、ガラス、石英、セラミック、サファイヤ、有機樹脂などを用いることができる。基板５１１及び基板５１２に可撓性を有する材料を用いると、表示装置の可撓性を高めることができる。
【０１７２】
液晶素子５５０としては、例えば垂直配向（ＶＡ：Ｖｅｒｔｉｃａｌ  Ａｌｉｇｎｍｅｎｔ）モードが適用された液晶素子を用いることができる。垂直配向モードとしては、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＡＳＶ（Ａｄｖａｎｃｅｄ  Ｓｕｐｅｒ  Ｖｉｅｗ）モードなどを用いることができる。
【０１７３】
液晶素子５５０には、様々なモードが適用された液晶素子を用いることができる。例えばＶＡモードのほかに、ＴＮ（Ｔｗｉｓｔｅｄ  Ｎｅｍａｔｉｃ）モード、ＩＰＳ（Ｉｎ−Ｐｌａｎｅ−Ｓｗｉｔｃｈｉｎｇ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モード等が適用された液晶素子を用いることができる。
【０１７４】
液晶素子は、液晶の光学的変調作用によって光の透過または非透過を制御する素子である。液晶の光学的変調作用は、液晶にかかる電界（横方向の電界、縦方向の電界または斜め方向の電界を含む）によって制御される。液晶素子に用いる液晶としては、サーモトロピック液晶、低分子液晶、高分子液晶、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）、強誘電性液晶、反強誘電性液晶等を用いることができる。これらの液晶材料は、条件により、コレステリック相、スメクチック相、キュービック相、カイラルネマチック相、等方相等を示す。
【０１７５】
液晶材料としては、ポジ型の液晶、またはネガ型の液晶のいずれを用いてもよく、適用するモードや設計に応じて最適な液晶材料を用いればよい。
【０１７６】
液晶の配向を制御するため、配向膜を設けることができる。なお、横電界方式を採用する場合、配向膜を用いないブルー相を示す液晶を用いてもよい。ブルー相は液晶相の一つであり、コレステリック液晶を昇温していくと、コレステリック相から等方相へ転移する直前に発現する相である。ブルー相は狭い温度範囲でしか発現しないため、温度範囲を改善するために数重量％以上のカイラル剤を混合させた液晶組成物を液晶に用いる。ブルー相を示す液晶とカイラル剤とを含む液晶組成物は、応答速度が短く、光学的等方性である。また、ブルー相を示す液晶とカイラル剤とを含む液晶組成物は、配向処理が不要であり、視野角依存性が小さい。また配向膜を設けなくてもよいのでラビング処理も不要となるため、ラビング処理によって引き起こされる静電破壊を防止することができ、作製工程中の液晶表示装置の不良や破損を軽減することができる。
【０１７７】
反射型の液晶素子を用いる場合には、表示面側に偏光板５４０を設ける。またこれとは別に、表示面側に光拡散板を配置すると、視認性を向上させられるため好ましい。
【０１７８】
偏光板５４０よりも外側に、フロントライトを設けてもよい。フロントライトとしては、エッジライト型のフロントライトを用いることが好ましい。ＬＥＤ（Ｌｉｇｈｔ  Ｅｍｉｔｔｉｎｇ  Ｄｉｏｄｅ）を備えるフロントライトを用いると、消費電力を低減できるため好ましい。
【０１７９】
＜構成例２＞
次に、図１４に示す表示装置５１０と異なる態様について、図１５を用いて説明する。
【０１８０】
図１５に示す表示装置５１０は、トランジスタ５０１ｔ、トランジスタ５０３ｔ、トランジスタ５０５ｔ、及びトランジスタ５０６ｔの代わりに、トランジスタ５８１、トランジスタ５８４、トランジスタ５８５、及びトランジスタ５８６を有する。トランジスタの構成以外については、図１４に示す表示装置５１０と概ね同様の構成である。ただし、一部の構成については、異なる構成もあるため、同様の箇所については説明を省略し、異なる構成について、以下説明を行う。
【０１８１】
図１５では、絶縁層５３９及び接続部５４３等の位置が図１４と異なる。絶縁層５３９は、着色層５３２の端部に重ねて配置されている。また、絶縁層５３９は、遮光層５３６の端部に重ねて配置されている。このように、絶縁層５３９は、表示領域と重ならない領域（遮光層５３６と重なる領域）に配置されてもよい。
【０１８２】
トランジスタ５８４及びトランジスタ５８５のように、表示装置が有する複数のトランジスタは、部分的に積層して設けられていてもよい。これにより、画素回路の占有面積を縮小することが可能なため、精細度を高めることができる。また、発光素子５７０の発光面積を大きくでき、開口率を向上させることができる。発光素子５７０は、開口率が高いと、必要な輝度を得るための電流密度を低くできるため、信頼性が向上する。
【０１８３】
トランジスタ５８１、トランジスタ５８４、及びトランジスタ５８６は、導電層５４４、絶縁層５５８、半導体層５６３、導電層５４５、及び導電層５６２を有する。導電層５４４は、絶縁層５５８を介して半導体層５６３と重なる。導電層５６２は、半導体層５６３と電気的に接続される。トランジスタ５８１は、導電層５６４を有する。
【０１８４】
トランジスタ５８５は、導電層５４５、絶縁層５５９、半導体層５６３、導電層５９１、絶縁層５５９、絶縁層５６０、導電層５９２、及び導電層５９３を有する。導電層５９１は、絶縁層５９０及び絶縁層５６０を介して半導体層５６３と重なる。導電層５９２及び導電層５９３は、半導体層５６３と電気的に接続される。
【０１８５】
導電層５４５は、ゲートとして機能する。絶縁層５９４は、ゲート絶縁層として機能する。導電層５９２はソースまたはドレインの一方として機能する。トランジスタ５８６が有する導電層５４５は、ソースまたはドレインの他方として機能する。
【０１８６】
＜構成例３＞
次に、図１４及び図１５に示す表示装置５１０と異なる態様について、図１６を用いて説明する。図１６は、表示装置５１０の表示部の断面図である。
【０１８７】
図１６に示す表示装置５１０は、基板５１１と基板５１２の間に、トランジスタ５９５、トランジスタ５９６、液晶素子５５０、発光素子５７０、絶縁層５３０、着色層５３２、着色層５３３等を有する。
【０１８８】
液晶素子５５０では、外光を電極５２４が反射し、基板５１２側に反射光を射出する。発光素子５７０は、基板５１２側に光を射出する。液晶素子５５０及び発光素子５７０の構成については、構成例１を参照できる。
【０１８９】
トランジスタ５９５は、絶縁層５５９及び絶縁層５６０で覆われている。絶縁層５５６と着色層５３３は、接着層５３５によって貼り合わされている。
【０１９０】
また、トランジスタ５９６は、先に示す構成例１及び構成例２と異なる構造である。具体的には、トランジスタ５９６は、デュアルゲート型のトランジスタである。なお、トランジスタ５９６の下側のゲート電極を無くし、トップゲート型のトランジスタとしてもよい。
【０１９１】
図１６に示す表示装置５１０は、液晶素子５５０を駆動するトランジスタ５９５と発光素子５７０を駆動するトランジスタ５９６とを、異なる面上に形成するため、それぞれの表示素子を駆動するために適した構造、材料を用いて形成することが容易である。
【０１９２】
（実施の形態４）
本実施の形態では、本発明の一態様の電子機器について、図１７を用いて説明を行う。
【０１９３】
＜４−１．電子機器＞
図１７（Ａ）乃至図１７（Ｇ）に示す電子機器は、筐体９０００、表示部９００１、スピーカ９００３、操作キー９００５（電源スイッチ、又は操作スイッチを含む）、接続端子９００６、センサ９００７（力、変位、位置、速度、加速度、角速度、回転数、距離、光、液、磁気、温度、化学物質、音声、時間、硬度、電場、電流、電圧、電力、放射線、流量、湿度、傾度、振動、におい又は赤外線を測定する機能を含むもの）、マイクロフォン９００８、等を有する。
【０１９４】
図１７（Ａ）乃至図１７（Ｇ）に示す電子機器は、様々な機能を有する。例えば、様々な情報（静止画、動画、テキスト画像など）を表示部に表示する機能、タッチパネル機能、カレンダー、日付または時刻などを表示する機能、様々なソフトウェア（プログラム）によって処理を制御する機能、無線通信機能、無線通信機能を用いて様々なコンピュータネットワークに接続する機能、無線通信機能を用いて様々なデータの送信または受信を行う機能、記録媒体に記録されているプログラムまたはデータを読み出して表示部に表示する機能、等を有することができる。なお、図１７（Ａ）乃至図１７（Ｇ）に示す電子機器が有することのできる機能はこれらに限定されず、様々な機能を有することができる。また、図１７（Ａ）乃至図１７（Ｇ）には図示していないが、電子機器には、複数の表示部を有する構成としてもよい。また、該電子機器にカメラ等を設け、静止画を撮影する機能、動画を撮影する機能、撮影した画像を記録媒体（外部またはカメラに内蔵）に保存する機能、撮影した画像を表示部に表示する機能、等を有していてもよい。
【０１９５】
図１７（Ａ）乃至図１７（Ｇ）に示す電子機器の詳細について、以下説明を行う。
【０１９６】
図１７（Ａ）は、テレビジョン装置９１００を示す斜視図である。テレビジョン装置９１００は、表示部９００１を大画面、例えば、５０インチ以上、または１００インチ以上の表示部９００１を組み込むことが可能である。
【０１９７】
図１７（Ｂ）は、携帯情報端末９１０１を示す斜視図である。携帯情報端末９１０１は、例えば電話機、手帳又は情報閲覧装置等から選ばれた一つ又は複数の機能を有する。具体的には、スマートフォンとして用いることができる。なお、携帯情報端末９１０１は、スピーカ９００３、接続端子９００６、センサ９００７等を設けてもよい。また、携帯情報端末９１０１は、文字や画像情報をその複数の面に表示することができる。例えば、３つの操作ボタン９０５０（操作アイコンまたは単にアイコンともいう）を表示部９００１の一の面に表示することができる。また、破線の矩形で示す情報９０５１を表示部９００１の他の面に表示することができる。なお、情報９０５１の一例としては、電子メールやＳＮＳ（ソーシャル・ネットワーキング・サービス）や電話などの着信を知らせる表示、電子メールやＳＮＳなどの題名、電子メールやＳＮＳなどの送信者名、日時、時刻、バッテリの残量、アンテナ受信の強度などがある。または、情報９０５１が表示されている位置に、情報９０５１の代わりに、操作ボタン９０５０などを表示してもよい。
【０１９８】
図１７（Ｃ）は、携帯情報端末９１０２を示す斜視図である。携帯情報端末９１０２は、表示部９００１の３面以上に情報を表示する機能を有する。ここでは、情報９０５２、情報９０５３、情報９０５４がそれぞれ異なる面に表示されている例を示す。例えば、携帯情報端末９１０２の使用者は、洋服の胸ポケットに携帯情報端末９１０２を収納した状態で、その表示（ここでは情報９０５３）を確認することができる。具体的には、着信した電話の発信者の電話番号又は氏名等を、携帯情報端末９１０２の上方から観察できる位置に表示する。使用者は、携帯情報端末９１０２をポケットから取り出すことなく、表示を確認し、電話を受けるか否かを判断できる。
【０１９９】
図１７（Ｄ）は、腕時計型の携帯情報端末９２００を示す斜視図である。携帯情報端末９２００は、移動電話、電子メール、文章閲覧及び作成、音楽再生、インターネット通信、コンピュータゲームなどの種々のアプリケーションを実行することができる。また、表示部９００１はその表示面が湾曲して設けられ、湾曲した表示面に沿って表示を行うことができる。また、携帯情報端末９２００は、通信規格された近距離無線通信を実行することが可能である。例えば無線通信可能なヘッドセットと相互通信することによって、ハンズフリーで通話することもできる。また、携帯情報端末９２００は、接続端子９００６を有し、他の情報端末とコネクターを介して直接データのやりとりを行うことができる。また接続端子９００６を介して充電を行うこともできる。なお、充電動作は接続端子９００６を介さずに無線給電により行ってもよい。
【０２００】
図１７（Ｅ）（Ｆ）（Ｇ）は、折り畳み可能な携帯情報端末９２０１を示す斜視図である。また、図１７（Ｅ）が携帯情報端末９２０１を展開した状態の斜視図であり、図１７（Ｆ）が携帯情報端末９２０１を展開した状態または折り畳んだ状態の一方から他方に変化する途中の状態の斜視図であり、図１７（Ｇ）が携帯情報端末９２０１を折り畳んだ状態の斜視図である。携帯情報端末９２０１は、折り畳んだ状態では可搬性に優れ、展開した状態では、継ぎ目のない広い表示領域により表示の一覧性に優れる。携帯情報端末９２０１が有する表示部９００１は、ヒンジ９０５５によって連結された３つの筐体９０００に支持されている。ヒンジ９０５５を介して２つの筐体９０００間を屈曲させることにより、携帯情報端末９２０１を展開した状態から折りたたんだ状態に可逆的に変形させることができる。例えば、携帯情報端末９２０１は、曲率半径１ｍｍ以上１５０ｍｍ以下で曲げることができる。
【０２０１】
本実施の形態は、少なくともその一部を本明細書中に記載する他の実施の形態と適宜組み合わせて実施することができる。
【符号の説明】
【０２０２】
１００    電子機器
１００Ａ    電子機器
１００Ｂ    電子機器
１０２    アプリケーションプロセッサ
１０４    表示制御装置用インタフェース
１０６    表示制御装置
１０８    表示駆動装置
１０８ｉ    表示駆動装置
１０８ｔ    表示駆動装置
１１０    表示装置
１１０＿１    表示領域
１１０＿２    表示領域
１１０＿３    タッチセンサ
１１０Ａ    電子機器
１１０Ｂ    電子機器
１２２    無線通信モジュール
１２４    メモリ
１２６    ＧＰＳモジュール
１２８    カメラモジュール
１３０    画像圧縮装置
１３２    フォーマット生成装置
１３４    画像処理装置
１３６    タッチパネルコントローラ
１５０    転送データ
１５１    表示データ
１５２    テキストデータ領域
１５４    イメージデータ領域
１５６    データファイル
１５８    データファイル
２０１    レシーバ回路
２０２    タイミング制御回路
２０３    テキストメモリ
２０４    書式制御回路
２０５    イメージメモリ
２０６    イメージデータ生成回路
２０７    イメージデータ生成回路
２０８    画像伸張回路
２０９    書式保持用メモリ
５０１    表示素子
５０１ｔ    トランジスタ
５０２    表示素子
５０３    開口部
５０３ｔ    トランジスタ
５０４    反射光
５０５    透過光
５０５ｔ    トランジスタ
５０６    画素回路
５０６ｔ    トランジスタ
５１０    表示装置
５１１    基板
５１２    基板
５１４    表示部
５１６    回路
５１８    配線
５２０    ＩＣ
５２２    ＦＰＣ
５２４    電極
５２６    開口部
５３０    絶縁層
５３１    絶縁層
５３２    着色層
５３３    着色層
５３４    接着層
５３５    接着層
５３６    遮光層
５３７    電極
５３８ａ    配向膜
５３８ｂ    配向膜
５３９    絶縁層
５４０    偏光板
５４１    液晶層
５４２    電極
５４３    接続部
５４４    導電層
５４５    導電層
５４６    接続部
５４７    接続体
５４８    電極
５５０    液晶素子
５５２    ＥＬ層
５５３    電極
５５４    絶縁層
５５５    導電層
５５６    絶縁層
５５７    絶縁層
５５８    絶縁層
５５９    絶縁層
５６０    絶縁層
５６１    導電層
５６２    導電層
５６３    半導体層
５６４    導電層
５７０    発光素子
５７２    接続部
５７３    接続層
５８１    トランジスタ
５８４    トランジスタ
５８５    トランジスタ
５８６    トランジスタ
５９０    絶縁層
５９１    導電層
５９２    導電層
５９３    導電層
５９４    絶縁層
５９５    トランジスタ
５９６    トランジスタ
９０００    筐体
９００１    表示部
９００３    スピーカ
９００５    操作キー
９００６    接続端子
９００７    センサ
９００８    マイクロフォン
９０５０    操作ボタン
９０５１    情報
９０５２    情報
９０５３    情報
９０５４    情報
９０５５    ヒンジ
９１００    テレビジョン装置
９１０１    携帯情報端末
９１０２    携帯情報端末
９２００    携帯情報端末
９２０１    携帯情報端末
【図１】
2018036357.tif 000003
【図２】
2018036357.tif 000004
【図３】
2018036357.tif 000005
【図４】
2018036357.tif 000006
【図５】
2018036357.tif 000007
【図６】
2018036357.tif 000008
【図７】
2018036357.tif 000009
【図８】
2018036357.tif 000010
【図９】
2018036357.tif 000011
【図１０】
2018036357.tif 000012
【図１１】
2018036357.tif 000013
【図１２】
2018036357.tif 000014
【図１３】
2018036357.tif 000015
【図１４】
2018036357.tif 000016
【図１５】
2018036357.tif 000017
【図１６】
2018036357.tif 000018
【図１７】
2018036357.tif 000019